(57)【要約】【課題】テープ破損の発生を抑制する。【解決手段】紙葉類収納繰出部２０は、テープ２１とドラム２２とを有し、紙葉類とともにテープ２１をドラム２２に巻き付けることで紙葉類を収納する収納動作と、テープ２１を巻き戻すことで紙葉類を繰り出す繰出動作とを行うように構成される。制御部３０は、紙葉類収納繰出部２０を制御するように構成され、テープ２１のうち紙葉類とともにドラム２２に巻き付けられる紙葉類巻き付け区間ＳＳを変更する。【選択図】図８
2018049374.tif 000002
【特許請求の範囲】
【請求項１】
テープとドラムとを有し、送り込まれた紙葉類とともに該テープを該ドラムに巻き付けることで該紙葉類を収納する収納動作と、該テープを巻き戻すことで該紙葉類を繰り出す繰出動作とを行うように構成された紙葉類収納繰出部と、
前記紙葉類収納繰出部を制御するように構成され、前記テープのうち前記紙葉類とともに前記ドラムに巻き付けられる紙葉類巻き付け区間を変更する制御部とを備えている
ことを特徴とする紙葉類収納繰出装置。
【請求項２】
請求項１において、
前記制御部は、前記紙葉類巻き付け区間の長さが変化するように該紙葉類巻き付け区間を変更する場合に、前記紙葉類収納繰出部に対して予め定められた収納可能枚数を変更するように構成されている
ことを特徴とする紙葉類収納繰出装置。
【請求項３】
請求項１において、
前記制御部は、前記紙葉類巻き付け区間の長さを変化させることなく該紙葉類巻き付け区間を変更するように構成されている
ことを特徴とする紙葉類収納繰出装置。
【請求項４】
請求項１〜３のいずれか１項において、
前記制御部は、前記紙葉類巻き付け区間の開始位置および終了位置のうち少なくとも一方を変更することで該紙葉類巻き付け区間を変更するように構成されている
ことを特徴とする紙葉類収納繰出装置。
【請求項５】
請求項１〜４のいずれか１項において、
前記制御部は、前記テープのダメージに関するダメージ情報に基づいて前記紙葉類巻き付け区間を変更するように構成されている
ことを特徴とする紙葉類収納繰出装置。
【請求項６】
請求項５において、
前記テープには、該テープの長手方向に並ぶ複数のテープ区間が設定され、
前記制御部は、前記複数のテープ区間毎に前記ダメージ情報を取得し、該複数のテープ区間毎に取得された該ダメージ情報に基づいて前記紙葉類巻き付け区間を変更するように構成されている
ことを特徴とする紙葉類収納繰出装置。
【請求項７】
請求項６において、
前記制御部は、前記複数のテープ区間のうち前記ダメージが予め定められたダメージ閾値を上回るテープ区間が前記紙葉類巻き付け区間から除外されるように該紙葉類巻き付け区間を変更するように構成されている
ことを特徴とする紙葉類収納繰出装置。
【請求項８】
請求項６または７において、
前記複数のテープ区間毎に取得される前記ダメージ情報は、該テープ区間における前記紙葉類の収納および繰出の回数に関する情報を含んでいる
ことを特徴とする紙葉類収納繰出装置。
【請求項９】
請求項６〜８のいずれか１項において、
前記紙葉類収納繰出部は、前記ドラムに巻き付けられた前記テープの外周面に摺接することで前記繰出動作において該テープから前記紙葉類を分離させるように構成された分離ガイドを有し、
前記複数のテープ区間毎に取得される前記ダメージ情報は、該テープ区間が前記分離ガイドを通過した回数に関する情報を含んでいる
ことを特徴とする紙葉類収納繰出装置。
【請求項１０】
請求項６〜９のいずれか１項において、
前記紙葉類収納繰出部は、前記テープに接触することで前記ドラムの軸方向における該テープのずれを規制するように構成された規制ガイドを有し、
前記複数のテープ区間毎に取得される前記ダメージ情報は、該テープ区間が前記規制ガイドを通過した回数に関する情報を含んでいる
ことを特徴とする紙葉類収納繰出装置。
【請求項１１】
請求項６〜１０のいずれか１項において、
前記テープの透光度を検知するように構成された透光度センサを備え、
前記複数のテープ区間毎に取得される前記ダメージ情報は、前記透光度センサによって検知された該テープ区間の透光度に関する情報を含んでいる
ことを特徴とする紙葉類収納繰出装置。
【請求項１２】
請求項７において、
前記テープには、該テープの長手方向に所定の間隔をおいて並ぶ複数のテープ位置が設定され、
前記制御部は、前記複数のテープ位置毎に前記ダメージ情報を取得し、該複数のテープ位置毎に取得された該ダメージ情報に基づいて前記紙葉類巻き付け区間を変更するように構成されている
ことを特徴とする紙葉類収納繰出装置。
【請求項１３】
請求項１〜１２のいずれか１項に記載の紙葉類収納繰出装置と、
紙葉類を搬送するように構成された搬送部とを備え、
前記紙葉類収納繰出装置は、前記搬送部から送り込まれた紙葉類を収納し、該紙葉類を該搬送部へ繰り出すように構成されている
ことを特徴とする紙葉類処理装置。
【請求項１４】
請求項１３において、
前記紙葉類収納繰出装置は、前記紙葉類を一時的に保留するように構成された一時保留部である
ことを特徴とする紙葉類処理装置。
【請求項１５】
請求項１３において、
前記紙葉類収納繰出装置は、予め定められた金種の紙葉類を収納するように構成された金種別収納部である
ことを特徴とする紙葉類処理装置。
【請求項１６】
テープとドラムとを有する紙葉類収納繰出装置を用いた紙葉類収納繰出方法であって、
前記紙葉類収納繰出装置に送り込まれた紙葉類とともに前記テープを前記ドラムに巻き付けることで該紙葉類を収納する収納工程と、
前記テープを巻き戻すことで前記紙葉類収納繰出装置から前記紙葉類を繰り出す繰出工程と、
前記テープのうち前記紙葉類とともに前記ドラムに巻き付けられる紙葉類巻き付け区間を変更する区間変更工程とを備えている
ことを特徴とする紙葉類収納繰出方法。
【発明の詳細な説明】
【技術分野】
【０００１】
ここに開示する技術は、紙葉類収納繰出技術に関する。
【背景技術】
【０００２】
従来、紙葉類の収納および繰出を行う紙葉類収納繰出装置が知られている。例えば、特許文献１には、複数の紙葉類を１枚ずつ巻き取るための帯状の巻取部材（テープ）と、その外周面に巻取部材の一端が接続された回転体（ドラム）とを備えた紙葉類収納繰出装置が開示されている。特許文献１の紙葉類収納繰出装置では、巻取部材が回転体の外周面に巻き取られることにより紙葉類が収納され、巻取部材が回転体の外周面から巻き戻されることにより紙葉類が繰り出される。
【先行技術文献】
【特許文献】
【０００３】
【特許文献１】特開２０１６−０３１６６３号公報
【発明の概要】
【発明が解決しようとする課題】
【０００４】
特許文献１のような紙葉類収納繰出装置では、装置寿命の延長などの観点から、テープの破損を発生しにくくすることが求められる。しかしながら、従来、そのような対策は講じられていなかった。
【０００５】
そこで、ここに開示する技術は、テープ破損の発生を抑制することが可能な紙葉類収納繰出技術を提供することを目的とする。
【課題を解決するための手段】
【０００６】
本願発明者は、鋭意研究の結果、紙葉類収納繰出装置において次のような傾向があることを見出した。すなわち、紙葉類収納繰出装置では、テープの特定の領域において紙葉類の収納および繰出が比較的に頻繁に行われる傾向にある。そのため、テープのダメージが特定の箇所に集中しやすい傾向にある。
【０００７】
ここに開示する技術は、紙葉類収納繰出装置に関し、この紙葉類収納繰出装置は、テープとドラムとを有し、送り込まれた紙葉類とともに該テープを該ドラムに巻き付けることで該紙葉類を収納する収納動作と、該テープを巻き戻すことで該紙葉類を繰り出す繰出動作とを行うように構成された紙葉類収納繰出部と、前記紙葉類収納繰出部を制御するように構成され、前記テープのうち前記紙葉類とともに前記ドラムに巻き付けられる紙葉類巻き付け区間を変更する制御部とを備えている。
【０００８】
前記の構成では、紙葉類巻き付け区間を変更することにより、テープにおいて紙葉類の収納および繰出が比較的に頻繁に行われる傾向にある領域を移動させることができる。これにより、テープのダメージを特定の箇所に集中させにくくすることができるので、テープ破損の発生を抑制することができる。
【０００９】
前記制御部は、前記紙葉類巻き付け区間の長さが変化するように該紙葉類巻き付け区間を変更する場合に、前記紙葉類収納繰出部に対して予め定められた収納可能枚数を変更するように構成されていてもよい。
【００１０】
前記の構成では、紙葉類収納繰出部における紙葉類の収納可能枚数は、紙葉類巻き付け区間に収納することができる紙葉類の枚数に依存している。そして、紙葉類巻き付け区間に収納することができる紙葉類の枚数は、紙葉類巻き付け区間の長さに依存している。したがって、紙葉類巻き付け区間の長さの変化に応じて紙葉類収納繰出部の収納可能枚数を変更することにより、紙葉類収納繰出部の収納可能枚数を適切な枚数に設定することができる。
【００１１】
前記制御部は、前記紙葉類巻き付け区間の長さを変化させることなく該紙葉類巻き付け区間を変更するように構成されていてもよい。
【００１２】
前記の構成では、紙葉類巻き付け区間に収納することができる紙葉類の枚数を変更することなく、テープにおいて紙葉類の収納および繰出が比較的に頻繁に行われる傾向にある領域を移動させることができる。これにより、紙葉類収納繰出部の収納可能枚数を変更することなく、テープ破損の発生を抑制することができる。
【００１３】
前記制御部は、前記紙葉類巻き付け区間の開始位置および終了位置のうち少なくとも一方を変更することで該紙葉類巻き付け区間を変更するように構成されていてもよい。
【００１４】
前記制御部は、前記テープのダメージに関するダメージ情報に基づいて前記紙葉類巻き付け区間を変更するように構成されていてもよい。
【００１５】
前記の構成では、テープのダメージに基づいて紙葉類巻き付け区間を適切に変更することができる。これにより、テープのダメージを特定の箇所に集中させにくくすることができるので、テープ破損の発生を抑制することができる。
【００１６】
前記テープには、該テープの長手方向に並ぶ複数のテープ区間が設定されていてもよい。そして、前記制御部は、前記複数のテープ区間毎に前記ダメージ情報を取得し、該複数のテープ区間毎に取得された該ダメージ情報に基づいて前記紙葉類巻き付け区間を変更するように構成されていてもよい。
【００１７】
前記の構成では、テープ区間毎のダメージに基づいて紙葉類巻き付け区間を適切に変更することができる。これにより、テープのダメージを特定の箇所に集中させにくくすることができるので、テープ破損の発生を抑制することができる。
【００１８】
前記制御部は、前記複数のテープ区間のうち前記ダメージが予め定められたダメージ閾値を上回るテープ区間が前記紙葉類巻き付け区間から除外されるように該紙葉類巻き付け区間を変更するように構成されていてもよい。
【００１９】
前記の構成では、複数のテープ区間のうちダメージがダメージ閾値を上回るテープ区間（ダメージ区間）を避けて紙葉類の収納および繰出を行うことができる。これにより、テープのダメージを特定の箇所に集中させにくくすることができるので、テープ破損の発生を抑制することができる。
【００２０】
前記複数のテープ区間毎に取得される前記ダメージ情報は、該テープ区間における前記紙葉類の収納および繰出の回数に関する情報を含んでいてもよい。
【００２１】
前記の構成では、テープ区間における紙葉類の収納および繰出の回数に基づいて紙葉類巻き付け区間を変更することができる。なお、テープ区間における紙葉類の収納および繰出の回数が多くなるに連れて、そのテープ区間に蓄積されるダメージ量が増加する傾向にある。したがって、紙葉類の収納および繰出の繰り返しに起因するテープのダメージに基づいて、紙葉類巻き付け区間を適切に変更することができる。これにより、テープのダメージ（特に紙葉類の収納および繰出の繰り返しに起因するダメージ）を特定の箇所に集中させにくくすることができるので、テープ破損の発生を抑制することができる。
【００２２】
前記紙葉類収納繰出部は、前記ドラムに巻き付けられた前記テープの外周面に摺接することで前記繰出動作において該テープから前記紙葉類を分離させるように構成された分離ガイドを有していてもよい。そして、前記複数のテープ区間毎に取得される前記ダメージ情報は、該テープ区間が前記分離ガイドを通過した回数に関する情報を含んでいてもよい。
【００２３】
前記の構成では、テープ区間が分離ガイドを通過した回数に基づいて紙葉類巻き付け区間を変更することができる。なお、テープ区間が分離ガイドを通過した回数が多くなるに連れて、そのテープ区間に蓄積されるダメージ量が増加する傾向にある。したがって、分離ガイドとの摺接に起因するテープのダメージに基づいて、紙葉類巻き付け区間を適切に変更することができる。これにより、テープのダメージ（特に分離ガイドとの摺接に起因するダメージ）を特定の箇所に集中させにくくすることができるので、テープ破損の発生を抑制することができる。
【００２４】
前記紙葉類収納繰出部は、前記テープに接触することで前記ドラムの軸方向における該テープのずれを規制するように構成された規制ガイドを有していてもよい。そして、前記複数のテープ区間毎に取得される前記ダメージ情報は、該テープ区間が前記規制ガイドを通過した回数に関する情報を含んでいてもよい。
【００２５】
前記の構成では、テープ区間が規制ガイドを通過した回数に基づいて紙葉類巻き付け区間を変更することができる。なお、テープ区間が規制ガイドを通過した回数が多くなるに連れて、そのテープ区間に蓄積されるダメージ量が増加する傾向にある。したがって、規制ガイドとの接触に起因するテープのダメージに基づいて、紙葉類巻き付け区間を適切に変更することができる。これにより、テープのダメージ（特に規制ガイドとの接触に起因するダメージ）を特定の箇所に集中させにくくすることができるので、テープ破損の発生を抑制することができる。
【００２６】
前記紙葉類収納繰出装置は、前記テープの透光度を検知するように構成された透光度センサを備えていてもよい。そして、前記複数のテープ区間毎に取得される前記ダメージ情報は、前記透光度センサによって検知された該テープ区間の透光度に関する情報を含んでいてもよい。
【００２７】
前記の構成では、テープ区間の透光度に基づいて紙葉類巻き付け区間を変更することができる。なお、テープ区間に蓄積されたダメージ量が増加するに連れて、そのテープ区間の透光度が低下する傾向にある。したがって、テープ区間の透光度から推定されるダメージ量（そのテープ区間に蓄積されたダメージ量）に基づいて、紙葉類巻き付け区間を適切に変更することができる。これにより、テープのダメージを特定の箇所に集中させにくくすることができるので、テープ破損の発生を抑制することができる。
【００２８】
前記テープには、該テープの長手方向に所定の間隔をおいて並ぶ複数のテープ位置が設定されていてもよい。そして、前記制御部は、前記複数のテープ位置毎に前記ダメージ情報を取得し、該複数のテープ位置毎に取得された該ダメージ情報に基づいて前記紙葉類巻き付け区間を変更するように構成されていてもよい。
【００２９】
前記の構成では、テープ位置毎のダメージに基づいて紙葉類巻き付け区間を適切に変更することができる。これにより、テープのダメージを特定の箇所に集中させにくくすることができるので、テープ破損の発生を抑制することができる。
【００３０】
また、ここに開示する技術は、紙葉類処理装置に関し、この紙葉類処理装置は、前記紙葉類収納繰出装置と、紙葉類を搬送するように構成された搬送部とを備え、前記紙葉類収納繰出装置は、前記搬送部から送り込まれた紙葉類を収納し、該紙葉類を該搬送部へ繰り出すように構成されている。
【００３１】
前記の構成では、紙葉類収納繰出装置においてテープ破損の発生を抑制することができるので、紙葉類収納繰出装置のテープ破損に起因する紙葉類処理装置の休止を発生させにくくすることができる。
【００３２】
前記紙葉類収納繰出装置は、前記紙葉類を一時的に保留するように構成された一時保留部であってもよい。
【００３３】
前記紙葉類収納繰出装置は、予め定められた金種の紙葉類を収納するように構成された金種別収納部であってもよい。
【００３４】
ここに開示する技術は、テープとドラムとを有する紙葉類収納繰出装置を用いた紙葉類収納繰出方法に関し、この紙葉類収納繰出方法は、前記紙葉類収納繰出装置に送り込まれた紙葉類とともに前記テープを前記ドラムに巻き付けることで該紙葉類を収納する収納工程と、前記テープを巻き戻すことで前記紙葉類収納繰出装置から前記紙葉類を繰り出す繰出工程と、前記テープのうち前記紙葉類とともに前記ドラムに巻き付けられる紙葉類巻き付け区間を変更する区間変更工程とを備えている。
【００３５】
前記の方法では、紙葉類巻き付け区間を変更することにより、テープにおいて紙葉類の収納および繰出が比較的に頻繁に行われる傾向にある領域を移動させることができる。これにより、テープのダメージを特定の箇所に集中させにくくすることができるので、テープ破損の発生を抑制することができる。
【発明の効果】
【００３６】
以上のように、テープ破損の発生を抑制することができる。
【図面の簡単な説明】
【００３７】
【図１】紙葉類処理装置の外観を例示する概略斜視図である。
【図２】紙葉類処理装置の構成を例示する概略図である。
【図３】主制御部について説明するためのブロック図である。
【図４】紙葉類収納繰出装置の構成および収納動作を例示する概略側面図である。
【図５】紙葉類収納繰出装置の構成および繰出動作を例示する概略側面図である。
【図６】紙葉類収納繰出装置の一部の構成を例示する概略斜視図である。
【図７】規制ガイドの構成を例示する概略図である。
【図８】紙葉類巻き付け区間について説明するための概念図である。
【図９】紙葉類巻き付け区間の変更例１について説明するための概念図である。
【図１０】紙葉類巻き付け区間の変更例２について説明するための概念図である。
【図１１】紙葉類巻き付け区間の変更例３について説明するための概念図である。
【図１２】一時保留部における収納枚数の変化を例示するグラフである。
【図１３】金種別収納部における収納枚数の変化を例示するグラフである。
【図１４】紙葉類収納繰出装置の変形例を例示する概略斜視図である。
【発明を実施するための形態】
【００３８】
以下、実施の形態を図面を参照して詳しく説明する。なお、図中同一または相当部分には同一の符号を付しその説明は繰り返さない。
【００３９】
（紙葉類処理装置）
図１および図２は、実施形態による紙葉類処理装置１００の外観および構成を例示している。この例では、紙葉類処理装置１００は、循環式の入出金機を構成しており、出金処理時に紙葉類処理装置１００から払い出される紙幣（紙葉類の一例）には、入金処理時に紙葉類処理装置１００に収納された紙幣が含まれている。また、この紙葉類処理装置１００は、例えば、銀行のテラーカウンタに設置され、この紙葉類処理装置１００を挟んだ左右二人のテラーによって共有で使用される。
【００４０】
この例では、紙葉類処理装置１００は、処理部２００と金庫部３００とを備えている。処理部２００は、紙葉類処理装置１００の上部を構成している。また、処理部２００は、処理部側筐体２０１と、入金部２０２と、出金部２０３と、一時保留部２０４と、識別部２０５と、処理部側搬送部２０６とを備えている。金庫部３００は、紙葉類処理装置１００の下部を構成している。また、金庫部３００は、防護筐体３０１と、複数（この例では１０個）の収納部３０２と、金庫部側搬送部３０３とを備えている。
【００４１】
処理部側筐体２０１には、入金部２０２と出金部２０３と一時保留部２０４と識別部２０５と処理部側搬送部２０６とが収容されている。
【００４２】
入金部２０２は、紙幣が投入されるように構成されている。具体的には、入金部２０２は、処理部側筐体２０１の上面において上向きに開口する入金口２０２ａを有し、複数枚の紙幣を一度に受け入れ可能に構成されている。また、入金部２０２には、入金部２０２に投入された複数枚の紙幣を一枚ずつ処理部側搬送部２０６に繰り出す繰出機構（図示を省略）が設けられている。
【００４３】
出金部２０３は、紙幣を払い出すように構成されている。具体的には、出金部２０３は、入金口２０２ａよりも装置手前側（図２では右側）の処理部側筐体２０１における上面から全面にかけての位置において斜め上方へ向けて開口する出金口２０３ａを有し、複数枚の紙幣を一度に保持可能に構成されている。
【００４４】
一時保留部２０４は、紙幣を一時的に保留するように構成されている。この例では、一時保留部２０４は、紙幣を一枚ずつ巻き取って収納し、その収納した順番とは逆順で紙幣を一枚ずつ繰り出す（いわゆる先入れ後出しとなる）ように構成されている。すなわち、この例では、一時保留部２０４は、巻き取り方式の紙葉類収納繰出装置によって構成されている。
【００４５】
識別部２０５は、紙幣の種別（例えば真偽，金種，正損，搬送異常などの識別）を行うように構成されている。
【００４６】
処理部側搬送部２０６（搬送部）は、処理部２００内において紙幣を搬送するように構成されている。この例では、処理部側搬送部２０６は、環状に形成されたループ搬送路２１０と、ループ搬送路２１０から入金部２０２まで延びる投入路２１１と、ループ搬送路２１０から出金部２０３まで延びる払出路２１２と、ループ搬送路２１０から一時保留部２０４まで延びる接続路２１３とを有している。ループ搬送路２１０は、紙幣を搬送するための搬送ベルトや、搬送ベルトを駆動するための駆動機構や、紙幣の搬送を案内するためのガイド機構や、紙幣の搬送方向を切り換えるための分岐機構などによって構成されている。そして、ループ搬送路２１０では、紙幣と紙幣との間に所定の間隔を隔てた状態で紙幣が一枚ずつ短手搬送される。
【００４７】
防護筐体３０１は、その内部を所定以上のセキュリティで保護するように構成されている。防護筐体３０１の前面には、開閉扉や電子錠が設けられている。そして、防護筐体３０１には、収納部３０２と金庫部側搬送部３０３とが収容されている。
【００４８】
収納部３０２は、紙幣を収納するように構成されている。この例では、収納部３０２には、収納すべき紙幣の金種が割り当てられており、その収納部３０２に割り当てられた金種（予め定められた金種）の紙幣を収納するように構成されている。また、この例では、収納部３０２（金種別収納部）は、一時保留部と同様に、巻き取り方式の紙葉類収納繰出装置によって構成されている。
【００４９】
金庫部側搬送部３０３（搬送部）は、金庫部３００内において紙幣を搬送するように構成されている。この例では、金庫部側搬送部３０３は、処理部側搬送部２０６のループ搬送路２１０に接続された搬送路３１０と、搬送路３１０から複数の収納部３０２までそれぞれ延びる複数（この例では１０個）の分岐路とを有している。また、搬送路３１０は、ループ搬送路２１０と同様に、搬送ベルトや駆動機構やガイド機構や分岐機構などによって構成されている。そして、ループ搬送路２１０と同様に、搬送路３１０では、紙幣と紙幣との間に所定の間隔を隔てた状態で紙幣が一枚ずつ短手搬送される。
【００５０】
また、紙葉類処理装置１００は、主制御部４００を備えている。主制御部４００は、処理部側筐体２０１に収容されている。例えば、主制御部４００は、周知のマイクロコンピュータをベースとして構成されている。具体的には、主制御部４００は、ＣＰＵなどの演算処理部や、演算処理部を動作させるための各種プログラムや情報を記憶するメモリ（記憶部）などによって構成されている。
【００５１】
図３に示すように、主制御部４００は、紙葉類処理装置１００の各部（この例では、入金部２０２，出金部２０３，処理部側搬送部２０６，金庫部側搬送部３０３，識別部２０５，収納部３０２，一時保留部２０４）と通信可能に接続されている。なお、紙葉類処理装置１００の各部には、紙幣の通貨を検出する通過センサなどの各種センサが設けられており、これらの各種センサの検出信号は、主制御部４００に入力される。そして、主制御部４００は、紙葉類処理装置１００の各部からの信号や情報などに基づいて紙葉類処理装置１００の各部を制御する。
【００５２】
また、主制御部４００は、紙葉類処理装置１００とともに用いられる外部機器（この例では、操作部５０１，通信部５０２，記憶部５０３，表示部５０４）と通信可能に接続されている。操作部５０１は、紙葉類処理装置１００を操作するオペレータ（例えばテラー）に対するヒューマンインターフェース部分であり、オペレータの操作に応じて情報を入力するように構成されている。通信部５０２は、紙葉類処理装置１００が通信線（例えばＬＡＮやシリアルバスなど）を通じて上位機（図示を省略）やその他の機器との間で通信を行うために設けられている。記憶部５０３は、各種の情報を記憶するために設けられており、例えば、ハードディスクドライブやフラッシュメモリなどの汎用のストレージデバイスによって構成されている。表示部５０４は、各種の情報を表示するために設けられており、例えば、フラットパネルディスプレイによって構成されている。
【００５３】
また、この例では、紙葉類処理装置１００には、警告部４０１が設けられている。警告部４０１は、セグメント型またはドットマトリクス型の画面を有し、所定の桁数の英数字によって構成されるエラーコードを表示可能に構成されている。主制御部４００は、警告部４０１と通信可能に構成されている。
【００５４】
〔紙葉類処理装置で行われる処理〕
この紙葉類処理装置１００では、入金処理や出金処理や精査処理などの各種処理が行われる。
【００５５】
入金処理は、紙葉類処理装置１００に紙幣を入金（収納）する処理のことである。入金処理では、入金口２０２ａに投入された紙幣が処理部側搬送部２０６によって識別部２０５に搬送され、その後、識別部２０５による識別結果に応じて収納部３０２，一時保留部２０４，または出金部２０３に搬送される。
【００５６】
出金処理は、紙葉類処理装置１００から紙幣を払い出す処理のことである。出金処理では、収納部３０２に収納されている紙幣が金庫部側搬送部３０３および処理部側搬送部２０６によって識別部２０５に搬送され、その後、出金部２０３または一時保留部２０４に搬送される。
【００５７】
精査処理は、紙葉類処理装置１００に収納されている紙幣を精査する処理（具体的には紙幣の枚数や種類を確定させる処理）のことである。精査処理では、収納部３０２に収納されている紙幣が金庫部側搬送部３０３および処理部側搬送部２０６によって一時保留部２０４に搬送される。そして、一時保留部２０４に収納されている紙幣が処理部側搬送部２０６によって識別部２０５に搬送され、その後、収納部３０２に搬送される。
【００５８】
（紙葉類収納繰出装置）
図４，図５，図６は、紙葉類収納繰出装置１０の構成を例示している。紙葉類収納繰出装置１０は、紙葉類収納繰出部２０と、制御部３０とを備えている。なお、図４および図５において、白抜きの矢印は、紙葉類の搬送方向を示し、実線の矢印は、紙葉類収納繰出装置１０の各部の回転方向を示している。
【００５９】
〔紙葉類収納繰出部〕
紙葉類収納繰出部２０は、テープ２１とドラム２２とを有して収納動作と繰出動作とを行うように構成されている。収納動作では、紙葉類収納繰出部２０は、送り込まれた紙葉類とともにテープ２１をドラム２２に巻き付けることで紙葉類を収納する。具体的には、テープ２１には、紙葉類とともにドラム２２に巻き付けられることが許可された区間（紙葉類巻き付け区間ＳＳ）が予め設定されている。そして、収納動作では、紙葉類収納繰出部２０は、送り込まれた紙葉類がテープ２１に紙葉類巻き付け区間ＳＳに重なるように、その紙葉類とともにテープ２１をドラム２２に巻き付けることで紙葉類を収納する。繰出動作では、紙葉類収納繰出部２０は、テープ２１を巻き戻すことで紙葉類を繰り出す。この例では、紙葉類収納繰出部２０は、テープ２１とドラム２２の他に、テープリール２３と、搬送機構２４と、ガイド機構２５とを有している。
【００６０】
〈テープ〉
テープ２１は、透光性を有している。例えば、テープ２１は、ナイロン系の材料によって構成された半透明の帯状部材である。また、図６に示すように、この例では、２つのテープ２１がドラム２２の軸方向に間隔をおいて配置されている。
【００６１】
〈ドラム〉
ドラム２２は、円柱状に形成され、その外周面にテープ２１の一端が固定されている。また、ドラム２２は、回転軸２２ａを有し、回転軸２２ａを軸として回転可能に構成されている。ドラム２２が正回転方向（図４および図５では反時計回り方向）に回転することによってテープ２１がドラム２２に巻き付けられ、ドラム２２が逆回転方向（図４および図５では時計回り方向）に回転することによってテープ２１が巻き戻される。
【００６２】
〈テープリール〉
テープリール２３は、円柱状に形成され、その外周面にテープ２１の他端が固定されている。また、テープリール２３は、回転軸２３ａを有し、回転軸２３ａを軸として回転可能に構成されている。テープリール２３が正回転方向（図４および図５では反時計回り方向）に回転することによってテープ２１がテープリール２３から繰り出され、テープリール２３が逆回転方向（図４および図５では時計回り方向）に回転することによってテープ２１がテープリール２３に巻き取られる。
【００６３】
〈搬送機構〉
搬送機構２４は、紙葉類収納繰出装置１０の紙葉類出入口１０ａとテープ２１の張り渡された部分（ドラム２２とテープリール２３との間に張り渡された部分）に位置する紙葉類受け渡し位置Ｍとの間において紙葉類を搬送するように構成されている。この例では、搬送機構２４は、紙葉類を搬送するための搬送ベルト４０と、第１プーリ４１と第２プーリ４２と第３プーリ４３とを有している。第１プーリ４１は、紙葉類出入口１０ａと紙葉類受け渡し位置Ｍとの間に配置され、第２プーリ４２は、紙葉類受け渡し位置Ｍの近傍に配置され、第３プーリ４３は、紙葉類出入口１０ａの近傍に配置されている。搬送ベルト４０は、第１プーリ４１と第２プーリ４２と第３プーリ４３に掛け渡される。また、第１プーリ４１は、回転軸４４を有し、回転軸４４を軸として回転可能に構成されている。
【００６４】
第１プーリ４１が正回転方向（図４および図５では時計回り方向）に回転することにより、搬送ベルト４０と後述する第２可動ガイド５２との間に形成された搬送路において紙葉類出入口１０ａから紙葉類受け渡し位置Ｍへ向かう方向に紙葉類が搬送されるように搬送ベルト４０が駆動される。一方、第１プーリ４１が逆回転方向（図４および図５では反時計回り方向）に回転することにより、搬送ベルト４０と後述の第２可動ガイド５２との間に形成された搬送路において紙葉類受け渡し位置Ｍから紙葉類出入口１０ａへ向かう方向に紙葉類が搬送されるように搬送ベルト４０が駆動される。
【００６５】
〈ガイド機構〉
ガイド機構２５は、ドラム２２とテープリール２３との間においてテープ２１を案内するとともに、紙葉類出入口１０ａと紙葉類受け渡し位置Ｍとの間において紙葉類を案内するように構成されている。この例では、ガイド機構２５は、第１可動ガイド５１と、第２可動ガイド５２と、第１ガイドローラ６１と、第２ガイドローラ６２と、第３ガイドローラ６３と、ベアリング７０とを有している。
【００６６】
第１可動ガイド５１は、紙葉類出入口１０ａから紙葉類受け渡し位置Ｍを通過してドラム２２と隙間を隔てて対向するように延伸している。また、第１可動ガイド５１は、その紙葉類出入口１０ａ８と紙葉類受け渡し位置Ｍとの間の部分に搬送機構２４が組み込まれており、搬送機構２４の第１プーリ４１の回転軸４４を軸として揺動可能に構成されている。そして、第１可動ガイド５１は、バネなどを有する付勢機構（図示を省略）によってドラム２２に近づく方向（図４および図５では回転軸４４を軸とする反時計回りの方向）に付勢されている。
【００６７】
第２可動ガイド５２は、第１可動ガイド５１と隙間を隔てて沿うように紙葉類出入口１０ａからドラム２２の近傍まで延伸している。これにより、第１可動ガイド５１と第２可動ガイド５２との間に搬送路が形成されている。また、第２可動ガイド５２は、第１可動ガイド５１との間に隙間を隔てた状態で第１可動ガイド５１に固定されており、第１可動ガイド５１とともに回転軸４４を軸として揺動するように構成されている。
【００６８】
第１ガイドローラ６１と第２ガイドローラ６２と第３ガイドローラ６３は、ドラム２２とテープリール２３との間においてテープ２１（ドラム２２とテープリール２３との間に張り渡された部分）を案内するように構成されている。第１ガイドローラ６１は、第１可動ガイド５１に設けられ、第２ガイドローラ６２は、第２可動ガイド５２に設けられ、第３ガイドローラ６３は、第１可動ガイド５１に設けられている。この例では、テープ２１と第１ガイドローラ６１との接触位置が紙葉類受け渡し位置Ｍに対応している。第２ガイドローラ６２および第３ガイドローラ６３は、互いの間にテープ２１を挟持するように紙葉類受け渡し位置Ｍとドラム２２との間の搬送路（第１可動ガイド５１と第２可動ガイド５２との間に形成された搬送路）に配置されている。
【００６９】
ベアリング７０は、第１可動ガイド５１のドラム２２に対向する部分に設けられ、ドラム２２に巻回されたテープ２１をドラム２２の中心へ向けて押圧するように構成されている。具体的には、第１可動ガイド５１がドラム２２に近づく方向（図４および第５では回転軸４４を軸とする反時計回りの方向）に付勢されて、第１可動ガイド５１に設けられたベアリング７０がドラム２２に押圧されることにより、ドラム２２に巻回されたテープ２１がドラム２２の中心へ向けて押圧される。
【００７０】
〈分離ガイド〉
また、この例では、紙葉類収納繰出部２０は、分離ガイド８１を有している。分離ガイド８１は、第２可動ガイド５２の先端部（すなわちドラム２２の近傍）に設けられ、ドラム２２に巻き付けられたテープ２１の外周面に摺接することで繰出動作においてテープ２１から紙葉類を分離させるように構成されている。
【００７１】
〈規制ガイド〉
また、この例では、紙葉類収納繰出部２０は、規制ガイド８２を有している。規制ガイド８２は、第１可動ガイド５１に設けられ、テープ２１（ドラム２２とテープリール２３との間に張り渡された部分）に接触することでドラム２２の軸方向におけるテープ２１のずれを規制するように構成されている。図７に示すように、規制ガイド８２には、２つのテープ２１にそれぞれ対応する２つの凹部８２ａが設けられている。
【００７２】
〈収納動作〉
次に、図４を参照して、紙葉類収納繰出部２０の収納動作について説明する。
【００７３】
制御部３０は、第１プーリ４１を正回転方向（図４では時計回り方向）に回転させる。これにより、紙葉類収納繰出装置１０に搬送されて紙葉類出入口１０ａを通過した紙葉類は、搬送ベルト４０によって紙葉類出入口１０ａから紙葉類受け渡し位置Ｍへ向けて搬送される。
【００７４】
また、制御部３０は、ドラム２２およびテープリール２３を正回転方向（図４では反時計回り方向）に回転させる。これにより、テープリール２３から繰り出されたテープ２１は、規制ガイド８２と紙葉類受け渡し位置Ｍとを順に通過してドラム２２に巻き付けられていく。また、紙葉類受け渡し位置Ｍに搬送された紙葉類は、紙葉類受け渡し位置Ｍにおいてテープ２１と重なり、テープ２１とともにドラム２２へ向けて搬送され、テープ２１とともにドラム２２に巻き付けられる。このようにして、紙葉類収納繰出部２０に紙葉類が収納される。
【００７５】
〈繰出動作〉
次に、図５を参照して、紙葉類収納繰出部２０の繰出動作について説明する。
【００７６】
制御部３０は、ドラム２２およびテープリール２３を逆回転方向（図５では時計回り方向）に回転させる。これにより、ドラム２２から巻き戻されたテープ２１は、紙葉類受け渡し位置Ｍと規制ガイド８２とを順に通過してテープリール２３に巻き取られていく。また、テープ２１とともにドラム２２に巻き付けられていた紙葉類は、分離ガイド８１によってドラム２２に巻き付けられているテープ２１の外周面から引き離され、ドラム２２から巻き戻されたテープ２１とともに紙葉類受け渡し位置Ｍへ向けて搬送される。
【００７７】
また、制御部３０は、第１プーリ４１を逆回転方向（図５では反時計回り方向）に回転させる。これにより、紙葉類受け渡し位置Ｍに搬送されてテープ２１から分離された紙葉類は、搬送ベルト４０によって紙葉類受け渡し位置Ｍから紙葉類出入口１０ａへ向けて搬送される。このようにして、紙葉類収納繰出部２０から紙葉類が繰り出される。
【００７８】
〔各種センサ〕
また、紙葉類収納繰出装置１０には、通過センサ３１や透光度センサ３２などの各種センサが設けられている。通過センサ３１は、紙葉類出入口１０ａの近傍に設けられ、紙葉類出入口１０ａにおける紙葉類の通過を検知するように構成されている。透光度センサ３２は、テープ２１の透光度を検知するように構成されている。この例では、透光度センサ３２は、第１可動ガイド５１のドラム２２に対向する部分に設けられている。これらの各種センサの検知信号（検知結果を示した信号）は、制御部３０に入力される。
【００７９】
〔制御部〕
制御部３０は、紙葉類収納繰出部２０を制御するように構成されている。具体的には、制御部３０は、紙葉類収納繰出装置１０に設けられた各種センサや紙葉類処理装置１００の主制御部４００などの信号や情報に基づいて、紙葉類収納繰出部２０の各部（この例ではドラム２２とテープリール２３と搬送機構２４の第１プーリ４１）を制御するように構成されている。例えば、制御部３０は、ＣＰＵなどの演算処理部と、演算処理部を動作させるためのプログラムや情報を記憶するメモリなどの記憶部とによって構成されている。
【００８０】
なお、制御部３０は、送り込まれた紙葉類が紙葉類巻き付け区間ＳＳのうちその紙葉類に対応する区間（その紙葉類を収納することが許可された区間）に重なる状態で、その紙葉類とともにテープ２１がドラム２２に巻き付けられるように、紙葉類収納繰出部２０の動作（収納動作）を制御するように構成されている。
【００８１】
また、制御部３０は、テープのうち紙葉類とともにドラム２２に巻き付けられる紙葉類巻き付け区間ＳＳを変更するように構成されている。なお、紙葉類巻き付け区間ＳＳや制御部３０による区間変更制御（紙葉類巻き付け区間ＳＳを変更するための制御）については、後で詳しく説明する。
【００８２】
〔紙葉類巻き付け区間〕
次に、図８を参照して、紙葉類巻き付け区間ＳＳについて説明する。紙葉類巻き付け区間ＳＳは、紙葉類とともにドラム２２に巻き付けることが許可されている区間である。
【００８３】
紙葉類巻き付け区間ＳＳの長さである紙葉類巻き付け区間長さＬＳは、テープ２１の長さ（ドラム２２に固定される一端からテープリール２３に固定される他端までの長さ）であるテープ長さＬＴよりも短くなっているか同等となっている。
【００８４】
この例では、紙葉類巻き付け区間長さＬＳは、紙葉類収納繰出部２０に対して予め定められている紙葉類の収納可能枚数に対応する長さである収納可能長さＬＣに設定されている。例えば、収納可能長さＬＣは、紙葉類収納繰出部２０の収納可能枚数と同数の紙葉類を収納するために必要となる紙葉類巻き付け長さＬＳに設定されている。なお、収納可能長さＬＣは、テープ長さ２１よりも短くなっているか同等となっている。この例では、収納可能長さＬＣは、テープ長さＬＴよりも短くなっており、紙葉類巻き付け区間長さＬＳも、テープ長さＬＴよりも短くなっている。
【００８５】
また、この例では、紙葉類巻き付け区間ＳＳの開始位置ＰＳの初期位置には、初期開始位置確認シールＱＳが付されており、紙葉類巻き付け区間ＳＳの終了位置ＰＥの初期位置には、初期終了位置確認シールＱＥが付されている。また、この例では、紙葉類巻き付け区間ＳＳのドラム２２側（図８では左側）およびテープリール２３側（図８では右側）の両方に余剰区間ＭＭが設けられるように、紙葉類巻き付け区間ＳＳは、テープ２１の中央部分に配置されている。
【００８６】
また、この例では、テープ２１には、テープ２１の長手方向に連続して並ぶ複数のテープ区間（具体的には１４個のテープ区間Ｓ０〜Ｓ１３）が設定されている。詳しくは、テープ２１には、テープ２１の長手方向に所定の間隔をおいて並ぶ複数のテープ位置（具体的には１５個のテープ位置Ｐ０〜Ｐ１４）が設定されている。そして、１５個のテープ位置Ｐ０〜Ｐ１５のそれぞれの間に１４個のテープ区間Ｓ０〜Ｓ１３が設けられている。例えば、テープ位置Ｐ０とテープ位置Ｐ１との間にテープ区間Ｓ０が設けられている。
【００８７】
そして、この例では、紙葉類巻き付け区間ＳＳは、テープ区間Ｓ１からテープ区間Ｓ１０までの１０個のテープ区間Ｓ１〜Ｓ１０に初期設定されている。すなわち、紙葉類巻き付け区間ＳＳの開始位置ＰＳおよび終了位置ＰＥは、テープ位置Ｐ１およびテープ位置Ｐ１１にそれぞれ初期設定されている。したがって、初期設定では、テープ区間Ｓ０は、紙葉類巻き付け区間ＳＳのドラム２２側（図８では左側）に隣接する余剰区間ＭＭに含まれており、テープ区間Ｓ１１〜Ｓ１３は、紙葉類巻き付け区間ＳＳのテープリール２３側に隣接する余剰区間ＭＭに含まれている。
【００８８】
また、この例では、１つのテープ区間の長さは、１０枚の紙葉類を収納することができる長さに設定されている。具体的には、１つのテープ区間の長さは、１０枚の紙葉類をテープ２１の長手方向に並べることができる長さに設定されている。１つのテープ区間の長さは、互いに隣接する２つのテータ位置の間隔の長さに相当する。
【００８９】
なお、この例では、紙葉類巻き付け区間ＳＳは、１０個のテープ区間Ｓ１〜Ｓ１０に初期設定されている。したがって、初期設定では、紙葉類巻き付け区間ＳＳに１００枚の紙葉類を収納することができる。具体的には、第１番目のテープ区間Ｓ１には、第１枚目から第１０枚目までの１０枚の紙葉類を収納することができ、第２番目のテープ区間Ｓ２には、第１１枚目から第２０枚目までの１０枚の紙葉類を収納することができ、第１０番目のテープ区間Ｓ１０には、第９１枚目から第１００枚目までの１０枚の紙葉類を収納することができる。すなわち、初期設定では、テープ区間Ｓ１は、第１枚目から第１０枚目に収納されるべき紙葉類に対応し、テープ区間Ｓ２は、第１１枚目から第２０枚目に収納されるべき紙葉類に対応し、テープ区間Ｓ１０は、第９１枚目から第１００枚目に収納されるべき紙葉類に対応している。
【００９０】
〔区間変更制御〕
次に、図９，図１０，図１１を参照して、制御部３０による区間変更制御（紙葉類巻き付け区間ＳＳを変更するための制御）について説明する。制御部３０は、紙葉類巻き付け区間ＳＳの開始位置ＰＳおよび終了位置ＰＥのうち少なくとも一方を変更することで紙葉類巻き付け区間ＳＳを変更するように構成されている。
【００９１】
〈紙葉類巻き付け区間の変更例１〉
図９に示すように、例えば、制御部３０は、紙葉類巻き付け区間ＳＳの開始位置ＰＳをテープリール２３側（図９では右側）に移動させることによって紙葉類巻き付け区間ＳＳを変更してもよい。図９の例では、制御部３０は、紙葉類巻き付け区間ＳＳの開始位置ＰＳをテープ位置Ｐ１からテープ位置Ｐ２に移動させている。これにより、第１枚目から第１０枚目までの１０枚の紙葉類がテープ区間Ｓ２に収納されるようになり、第１１枚目から第２０枚目までの１０枚の紙葉類がテープ区間Ｓ３に収納されるようになり、第８１枚目から第９０枚目までの１０枚の紙葉類がテープ区間Ｓ１０に収納されるようになる。
【００９２】
また、図９に示すように、紙葉類巻き付け区間ＳＳの長さが変化するように紙葉類巻き付け区間ＳＳが変更された場合、紙葉類巻き付け区間ＳＳに収納することができる紙葉類の枚数が変化することになる。図９の例では、紙葉類巻き付け区間ＳＳに収納することができる紙葉類の枚数が「１００枚」から「９０枚」に減少している。
【００９３】
そのため、制御部３０は、紙葉類巻き付け区間ＳＳの長さが変化するように紙葉類巻き付け区間ＳＳを変更する場合に、紙葉類収納繰出部２０の収納可能枚数（紙葉類収納繰出部２０に対して予め定められた紙葉類の収納可能枚数）を変更するように構成されていてもよい。具体的には、制御部３０は、紙葉類巻き付け区間ＳＳの長さが短くなるに連れて紙葉類収納繰出部２０の収納可能枚数が少なくなるように、紙葉類巻き付け区間ＳＳの長さの変化に応じて紙葉類収納繰出部２０の収納可能枚数を変更するように構成されていてもよい。
【００９４】
また、制御部３０は、紙葉類収納繰出部２０の収納可能枚数を紙葉類巻き付け区間ＳＳの長さに対応する枚数（具体的には紙葉類巻き付け区間ＳＳに収納することができる紙葉類の枚数）に設定するように構成されていてもよい。このように制御部３０が構成されている場合、図９の例では、制御部３０は、紙葉類巻き付け区間ＳＳの開始位置ＰＳをテープ位置Ｐ１（初期開始位置）からテープ位置Ｐ２に移動させると、紙葉類収納繰出部２０の収納可能枚数を「１００枚」から「９０枚」に変更することになる。
【００９５】
〈紙葉類巻き付け区間の変更例２〉
なお、図１０に示すように、制御部３０は、紙葉類巻き付け区間ＳＳの長さを変化させることなく紙葉類巻き付け区間ＳＳを変更するように構成されていてもよい。図１０の例では、制御部３０は、紙葉類巻き付け区間ＳＳの開始位置ＰＳをテープ位置Ｐ１からテープ位置Ｐ２に移動させるとともに、紙葉類巻き付け区間ＳＳの終了位置ＰＥをテープ位置Ｐ１１からテープ位置Ｐ１２に移動させている。これにより、第１枚目から第１０枚目までの１０枚の紙葉類がテープ区間Ｓ２に収納されるようになり、第１１枚目から第２０枚目までの１０枚の紙葉類がテープ区間Ｓ３に収納されるようになり、第９１枚目から第１００枚目までの１０枚の紙葉類がテープ区間Ｓ１１に収納されるようになる。
【００９６】
〈紙葉類巻き付け区間の変更例３〉
また、図１１に示すように、制御部３０は、紙葉類巻き付け区間ＳＳの開始位置ＰＳおよび終了位置ＰＥをドラム２２側（図９では左側）に移動させることによって紙葉類巻き付け区間ＳＳを変更してもよい。図１１の例では、制御部３０は、紙葉類巻き付け区間ＳＳの開始位置ＰＳをテープ位置Ｐ１からテープ位置Ｐ０に移動させるとともに、紙葉類巻き付け区間ＳＳの終了位置ＰＥをテープ位置Ｐ１１からテープ位置Ｐ１０に移動させている。これにより、第１枚目から第１０枚目までの１０枚の紙葉類がテープ区間Ｓ０に収納されるようになり、第１１枚目から第２０枚目までの１０枚の紙葉類がテープ区間Ｓ１に収納されるようになり、第９１枚目から第１００枚目までの１０枚の紙葉類がテープ区間Ｓ９に収納されるようになる。
【００９７】
なお、制御部３０は、紙葉類巻き付け区間ＳＳの終了位置ＰＥのみをドラム２２側（図９では左側）に移動させることによって紙葉類巻き付け区間ＳＳを変更してもよい。例えば、制御部３０は、紙葉類巻き付け区間ＳＳの開始位置ＰＳを移動させずに、紙葉類巻き付け区間ＳＳの終了位置ＰＥをテープ位置Ｐ１１からテープ位置Ｐ１０に移動させてもよい。この場合、第１枚目から第１０枚目までの１０枚の紙葉類がテープ区間Ｓ１に収納されるようになり、第１１枚目から第２０枚目までの１０枚の紙葉類がテープ区間Ｓ２に収納されるようになり、第８１枚目から第９０枚目までの１０枚の紙葉類がテープ区間Ｓ９に収納されるようになる。
【００９８】
〔テープのダメージ〕
ここで、テープ２１に蓄積されるダメージについて説明する。本願出願人は、鋭意研究の結果、紙葉類収納繰出装置１０において次のような傾向があることを見出した。すなわち、紙葉類収納繰出装置１０では、テープ２１の特定の領域において紙葉類の収納および繰出が比較的に頻繁に行われる傾向にある。そのため、テープ２１のダメージが特定の箇所に集中しやすい傾向にある。
【００９９】
図１２は、紙葉類処理装置１００における一時保留部２０４の使用状況の一例を示している。図１２の例では、テープ２１のうち第１枚目から第１０枚目までの１０枚の紙葉類が収納される領域（初期設定におけるテープ区間Ｓ１）において紙葉類の収納および繰出が比較的に頻繁に行われる傾向にある。このような傾向がある場合、紙葉類収納繰出部２０を初期設定で使用した後に、図９，図１０，図１１に示すように紙葉類巻き付け区間ＳＳを変更することにより、テープ２１のダメージを特定の箇所（テープ区間Ｓ１）に集中させないようにすることができる。
【０１００】
なお、図１２のような傾向がある場合、紙葉類収納繰出部２０を初期設定で使用した後に、図９および図１０に示すように紙葉類巻き付け区間ＳＳを変更することが好ましい。このように制御することにより、初期設定においてテープ２１のダメージ量（蓄積されたダメージ量）が比較的に多くなりやすい箇所（テープ区間Ｓ１）を避けて紙葉類の収納および繰出を行うことができる。
【０１０１】
図１３は、紙葉類処理装置１００における金種別収納部（収納部３０２）の使用状況の一例を示している。図１３の例では、テープ２１のうち第９１枚目から第１００枚目までの１０枚の紙葉類が収納される領域（初期設定におけるテープ区間Ｓ１０）において紙葉類の収納および繰出が比較的に頻繁に行われる傾向にある。このような傾向がある場合、紙葉類収納繰出部２０を初期設定で使用した後に、図９，図１０，図１１に示すように紙葉類巻き付け区間ＳＳを変更することにより、テープ２１のダメージを特定の箇所（テープ区間Ｓ１０）に集中させないようにすることができる。
【０１０２】
なお、図１３のような傾向がある場合、紙葉類収納繰出部２０を初期設定で使用した後に、図１１に示すように紙葉類巻き付け区間ＳＳを変更することが好ましい。このように制御することにより、初期設定においてテープ２１のダメージ量（蓄積されたダメージ量）が比較的に多くなりやすい箇所（テープ区間Ｓ１０）を避けて紙葉類の収納および繰出を行うことができる。
【０１０３】
〔実施形態による効果〕
以上のように、紙葉類巻き付け区間ＳＳを変更することにより、テープ２１において紙葉類の収納および繰出が比較的に頻繁に行われる傾向にある領域を移動させることができる。これにより、テープ２１のダメージを特定の箇所に集中させにくくすることができるので、テープ破損の発生を抑制することができる。このように、紙葉類収納繰出装置１０においてテープ破損の発生を抑制することができるので、紙葉類収納繰出装置１０のテープ破損に起因する紙葉類処理装置１００の休止を発生させにくくすることができる。
【０１０４】
また、紙葉類巻き付け区間ＳＳの長さが変化するように紙幣巻き付け区間ＳＳを変更した場合に紙葉類収納繰出部２０に対して予め定められた収納可能枚数を変更するように制御部３０を構成することにより、紙葉類巻き付け区間ＳＳの長さの変化に応じて紙葉類収納繰出部２０の収納可能枚数を変更することができる。なお、紙葉類収納繰出部２０における紙葉類の収納可能枚数は、紙葉類巻き付け区間ＳＳに収納することができる紙葉類の枚数に依存している。そして、紙葉類巻き付け区間ＳＳに収納することができる紙葉類の枚数は、紙葉類巻き付け区間ＳＳの長さに依存している。したがって、紙葉類巻き付け区間ＳＳの長さの変化に応じて紙葉類収納繰出部２０の収納可能枚数を変更することにより、紙葉類収納繰出部２０の収納可能枚数を適切な枚数に設定することができる。
【０１０５】
具体的には、紙葉類巻き付け区間ＳＳの長さを変化させた場合に紙葉類収納繰出部２０の収納可能枚数を紙葉類巻き付け区間ＳＳの長さに対応する枚数（例えば紙葉類巻き付け区間ＳＳに収納することができる紙葉類の枚数）に設定するように制御部３０を構成することにより、紙葉類収納繰出部２０の収納可能枚数を適切な枚数（実際に収納することが
できる紙葉類の枚数）に設定することができる。
【０１０６】
また、紙葉類巻き付け区間ＳＳの長さを変化させることなく紙葉類巻き付け区間ＳＳを変更するように制御部３０を構成することにより、紙葉類巻き付け区間ＳＳに収納することができる紙葉類の枚数を変更することなく、テープ２１において紙葉類の収納および繰出が比較的に頻繁に行われる傾向にある領域を移動させることができる。これにより、紙葉類収納繰出部２０の収納可能枚数を変更することなく、テープ破損の発生を抑制することができる。
【０１０７】
〔制御部の変形例〕
なお、制御部３０は、テープ２１のダメージに関する情報（ダメージ情報）に基づいて紙葉類巻き付け区間を変更するように構成されていてもよい。このように構成することにより、テープ２１のダメージに基づいて紙葉類巻き付け区間ＳＳを適切に変更することができる。これにより、テープ２１のダメージを特定の箇所に集中させにくくすることができるので、テープ破損の発生を抑制することができる。
【０１０８】
〈ダメージ情報に基づく区間変更制御の具体例１〉
詳しくは、制御部３０は、複数のテープ区間毎にダメージ情報を取得し、複数のテープ区間毎に取得されたダメージ情報に基づいて紙葉類巻き付け区間ＳＳを変更するように構成されていてもよい。このように構成することにより、テープ区間毎のダメージに基づいて紙葉類巻き付け区間ＳＳを適切に変更することができる。これにより、テープ２１のダメージを特定の箇所に集中させにくくすることができるので、テープ破損の発生を抑制することができる。
【０１０９】
具体的には、制御部３０は、複数のテープ区間のうちダメージが予め定められたダメージ閾値を上回るテープ区間（ダメージ区間）が紙葉類巻き付け区間ＳＳから除外されるように紙葉類巻き付け区間ＳＳを変更するように構成されていてもよい。例えば、制御部３０は、複数のテープ区間のうち少なくとも１つのテープ区間がダメージ区間に該当すると、そのダメージ区間が紙葉類巻き付け区間ＳＳから除外されるように紙葉類巻き付け区間ＳＳを変更する。このように構成することにより、複数のテープ区間のうちダメージがダメージ閾値を上回るテープ区間（ダメージ区間）を避けて紙葉類の収納および繰出を行うことができる。これにより、テープ２１のダメージを特定の箇所に集中させにくくすることができるので、テープ破損の発生を抑制することができる。
【０１１０】
〈ダメージ情報の具体例〉
なお、複数のテープ区間毎に取得されるダメージ情報は、次のような情報を含んでいてもよい。
【０１１１】
《使用頻度情報》
複数のテープ区間毎に取得されるダメージ情報は、そのテープ区間における紙葉類の収納および繰出の回数に関する情報（使用頻度情報）を含んでいてもよい。このようにダメージ情報に使用頻度情報が含まれていることにより、テープ区間における紙葉類の収納および繰出の回数に基づいて紙葉類巻き付け区間ＳＳを変更することができる。なお、テープ区間における紙葉類の収納および繰出の回数が多くなるに連れて、そのテープ区間に蓄積されるダメージ量が増加する傾向にある。したがって、紙葉類の収納および繰出の繰り返しに起因するテープ２１のダメージに基づいて、紙葉類巻き付け区間ＳＳを適切に変更することができる。これにより、テープ２１のダメージ（特に紙葉類の収納および繰出の繰り返しに起因するダメージ）を特定の箇所に集中させにくくすることができるので、テープ破損の発生を抑制することができる。
【０１１２】
なお、複数のテープ区間毎の使用頻度情報は、紙葉類巻き付け区間ＳＳの設定（テープ２１のどの区間が紙葉類巻き付け区間ＳＳとなっているのか）と紙葉類収納繰出部２０における紙葉類の収納枚数の変化とに基づいて取得されてもよい。例えば、紙葉類巻き付け区間ＳＳの設定が初期設定（図８）である場合に、制御部３０は、紙葉類収納繰出部２０における紙葉類の収納枚数が「０枚」から「３枚」へ変化すると、第１枚目から第３枚目までの３枚の紙葉類に対応する３つの区間において紙葉類の収納が行われたと判定し、これらの区間を含むテープ区間（図８の例ではテープ区間Ｐ１）の使用頻度情報に示された使用回数（紙葉類の収納および繰出の回数）に「３」を加算する。また、制御部３０は、紙葉類収納繰出部２０における紙葉類の収納枚数が「３枚」から「０枚」へ変化すると、第１枚目から第３枚目までの３枚の紙葉類に対応する３つの区間において紙葉類の繰出が行われたと判定し、これらの区間を含むテープ区間（図８の例ではテープ区間Ｐ１）の使用頻度情報に示された使用回数に「３」を加算する。そして、制御部３０は、テープ区間の使用頻度情報に示された使用回数が予め定められた使用回数閾値（ダメージ閾値の一例）を上回ると、そのテープ区間がダメージ区間に該当すると判定する。
【０１１３】
《分離ガイド通過頻度情報》
また、複数のテープ区間毎に取得されるダメージ情報は、そのテープ区間が分離ガイド８１を通過した回数に関する情報（分離ガイド通過頻度情報）を含んでいてもよい。このようにダメージ情報に分離ガイド通過頻度情報が含まれていることにより、テープ区間が分離ガイド８１を通過した回数に基づいて紙葉類巻き付け区間ＳＳを変更することができる。なお、テープ区間が分離ガイド８１を通過した回数が多くなるに連れて、そのテープ区間に蓄積されるダメージ量が増加する傾向にある。したがって、分離ガイド８１との摺接に起因するテープ２１のダメージに基づいて、紙葉類巻き付け区間ＳＳを適切に変更することができる。これにより、テープ２１のダメージ（特に分離ガイド８１との摺接に起因するダメージ）を特定の箇所に集中させにくくすることができるので、テープ破損の発生を抑制することができる。
【０１１４】
なお、複数のテープ区間毎の分離ガイド通過頻度情報は、ドラム回転角（ドラム２２の回転角）と分離ガイド８１に接触するテープ区間との対応関係（どのドラム回転角のときにどのテープ区間が分離ガイド８１に接触しているのか）に基づいて取得されてもよい。ドラム回転角と分離ガイド８１に接触するテープ区間との対応関係は、紙葉類収納繰出装置１０を構成する部品の寸法や配置などに基づいて取得することが可能である。例えば、制御部３０は、ドラム回転角と分離ガイド８１に接触するテープ区間との対応関係を記憶しており、ドラム回転角が第１回転角から第２回転角へ変化すると、ドラム回転角の第１回転角から第２回転角までの範囲に対応するテープ区間（１つまたは複数のテープ区間）の分離ガイド通過頻度情報に示された通過回数（分離ガイド８１を通過した回数）に「１」を加算する。そして、制御部３０は、テープ区間の分離ガイド通過頻度情報に示された通過回数が予め定められた通過回数閾値（ダメージ閾値の一例）を上回ると、そのテープ区間がダメージ区間に該当すると判定する。
【０１１５】
《規制ガイド通過頻度情報》
また、複数のテープ区間毎に取得されるダメージ情報は、そのテープ区間が規制ガイド８２を通過した回数に関する情報（規制ガイド通過頻度情報）を含んでいてもよい。このようにダメージ情報に規制ガイド通過頻度情報が含まれていることにより、テープ区間が規制ガイド８２を通過した回数に基づいて紙葉類巻き付け区間ＳＳを変更することができる。なお、テープ区間が規制ガイド８２を通過した回数が多くなるに連れて、そのテープ区間に蓄積されるダメージ量が増加する傾向にある。したがって、規制ガイド８２との接触に起因するテープ２１のダメージに基づいて、紙葉類巻き付け区間ＳＳを適切に変更することができる。これにより、テープ２１のダメージ（特に規制ガイド８２との接触に起因するダメージ）を特定の箇所に集中させにくくすることができるので、テープ破損の発生を抑制することができる。
【０１１６】
なお、複数のテープ区間毎の規制ガイド通過頻度情報は、ドラム回転各（ドラム２２の回転角）と規制ガイド８２に接触するテープ区間との対応関係（どのドラム回転角のときにどのテープ区間が規制ガイド８２に接触しているのか）に基づいて取得されてもよい。ドラム回転角と規制ガイド８２に接触するテープ区間との対応関係は、紙葉類収納繰出装置１０を構成する部品の寸法や配置などに基づいて取得することが可能である。例えば、制御部３０は、ドラム回転角と規制ガイド８２に接触するテープ区間との対応関係を記憶しており、ドラム回転角が第１回転角から第２回転角へ変化すると、ドラム回転角の第１回転角から第２回転角までの範囲に対応するテープ区間（１つまたは複数のテープ区間）の規制ガイド通過頻度情報に示された通過回数（規制ガイド８２を通過した回数）に「１」を加算する。そして、制御部３０は、テープ区間の規制ガイド通過頻度情報に示された通過回数が予め定められた通過回数閾値（ダメージ閾値の一例）を上回ると、そのテープ区間がダメージ区間に該当すると判定する。
【０１１７】
《透光度情報》
また、複数のテープ区間毎に取得されるダメージ情報は、透光度センサ３２によって検知されたテープ区間の透光度に関する情報（透光度情報）を含んでいてもよい。このようにダメージ情報に透光度情報が含まれていることにより、テープ区間の透光度に基づいて紙葉類巻き付け区間ＳＳを変更することができる。なお、テープ区間に蓄積されたダメージ量が増加するに連れて、そのテープ区間の透光度が低下する傾向にある。したがって、テープ区間の透光度から推定されるダメージ量（そのテープ区間に蓄積されたダメージ量）に基づいて、紙葉類巻き付け区間ＳＳを適切に変更することができる。これにより、テープのダメージを特定の箇所に集中させにくくすることができるので、テープ破損の発生を抑制することができる。
【０１１８】
なお、複数のテープ区間毎の透光度情報は、ドラム回転角（ドラム２２の回転角）と透光度センサ３２の検知対象となるテープ区間との対応関係（どのドラム回転角のときにどのテープ区間が透光度センサ３２の検知対象となるのか）に基づいて取得されてもよい。ドラム回転角と透光度センサ３２の検知対象となるテープ区間との対応関係は、紙葉類収納繰出装置１０を構成する部品の寸法や配置などに基づいて取得することが可能である。例えば、制御部３０は、ドラム回転角が第１回転角から第２回転角へ変化すると、ドラム回転角の第１回転角から第２回転角までの範囲に対応するテープ区間（１つまたは複数のテープ区間）の透光度情報に示された透光度（テープ区間の透光度）を透光度センサ３２によって検知された透光度に設定する。そして、制御部３０は、テープ２１の透光度の初期値からテープ区間の透光度情報に示された透光度を減算して得られる透光度の減少量が予め定められた透光度閾値（ダメージ閾値の一例）を上回ると、そのテープ区間がダメージ区間に該当すると判定する。
【０１１９】
〈ダメージ情報に基づく区間変更制御の具体例２〉
また、制御部３０は、複数のテープ位置毎にダメージ情報を取得し、複数のテープ位置毎に取得されたダメージ情報に基づいて紙葉類巻き付け区間ＳＳを変更するように構成されていてもよい。このように構成することにより、テープ位置毎のダメージに基づいて紙葉類巻き付け区間ＳＳを適切に変更することができる。これにより、テープ２１のダメージを特定の箇所に集中させにくくすることができるので、テープ破損の発生を抑制することができる。
【０１２０】
具体的には、制御部３０は、複数のテープ位置のうちダメージが予め定められたダメージ閾値を上回るテープ位置（ダメージ位置）が紙葉類巻き付け区間ＳＳから除外されるように紙葉類巻き付け区間ＳＳを変更するように構成されていてもよい。例えば、制御部３０は、複数のテープ位置のうち少なくとも１つのテープ位置がダメージ位置に該当すると、そのダメージ位置が紙葉類巻き付け区間ＳＳから除外されるように紙葉類巻き付け区間ＳＳを変更する。このように構成することにより、複数のテープ区間のうちダメージがダメージ閾値を上回るテープ位置（ダメージ位置）を避けて紙葉類の収納および繰出を行うことができる。これにより、テープ２１のダメージを特定の箇所に集中させにくくすることができるので、テープ破損の発生を抑制することができる。
【０１２１】
〈ダメージ情報の具体例〉
複数のテープ位置毎に取得されるダメージ情報は、テープ位置が紙葉類の収納および繰出の開始位置を通過した回数に関する情報（使用頻度情報）を含んでいてもよい。なお、紙葉類の収納および繰出の開始位置は、例えば、テープ２１のドラム２２に巻回されている巻回部とドラム２２に巻回されていない非巻回部（ドラム２２とテープリール２３との間に張り渡された部分）との境界位置ＰＢに相当する。
【０１２２】
また、複数のテープ位置毎に取得されるダメージ情報は、テープ位置が分離ガイド８１を通過した回数に関する情報（分離ガイド通過頻度情報）を含んでいてもよい。
【０１２３】
複数のテープ位置毎に取得されるダメージ情報は、テープ位置が規制ガイド８２を通過した回数に関する情報（規制ガイド通過頻度情報）を含んでいてもよい。
【０１２４】
複数のテープ位置毎に取得されるダメージ情報は、透光度センサ３２によって検知されたテープ位置の透光度に関する情報（透光度情報）を含んでいてもよい。
【０１２５】
（その他の実施形態）
なお、紙葉類処理装置１００は、紙葉類収納繰出装置１０において紙葉類巻き付け区間ＳＳが変更された場合に、紙葉類収納繰出装置１０の交換（詳しくは紙葉類収納繰出部２０のテープ２１の交換）を促すための情報を出力するように構成されていてもよい。具体的には、紙葉類収納繰出装置１０において、制御部３０は、紙葉類巻き付け区間ＳＳを変更すると、紙葉類巻き付け区間ＳＳが変更されたことを通知するための通知信号を紙葉類処理装置１００の主制御部４００に送信するように構成されていてもよい。そして、主制御部４００は、紙葉類収納繰出装置１０の制御部３０から送信された通知信号を受信すると、警告部４０１を制御して紙葉類収納繰出装置１０の交換を促すための警告を警告部４０１に行わせるように構成されていてもよい。また、主制御部４００は、紙葉類収納繰出装置１０の制御部３０から送信された通知信号を受信すると、表示部５０４を制御して紙葉類収納繰出装置１０の交換を促すための表示を表示部５０４に行わせるように構成されていてもよい。
【０１２６】
また、図１４に示すように、紙葉類収納繰出装置１０において、紙葉類収納繰出部２０は、送り込まれた紙葉類を２つのテープ２１の間に挟み込み、その紙葉類を間に挟み込んだ２つのテープ２１をドラム２２に巻き付けることで紙葉類を収納するように構成されていてもよい。図１４に示された紙葉類収納繰出部２０は、２つのテープ２１と、１つのドラム２２と、２つのテープリール２３と、ガイド機構２５とを有している。２つのテープ２１の一端は、ドラム２２の外周面に固定されている。２つのテープ２１の他端は、２つのテープリール２３の外周面にそれぞれ固定されている。ガイド機構２５は、ドラム２２と一方のテープリール２３との間に張り渡された一方のテープ２１を案内する第１ガイドプーリ９１および第２ガイドプーリ９２と、ドラム２２と他方のテープリール２３との間に張り渡された他方のテープ２１を案内する第３ガイドプーリ９３および第４ガイドプーリ９４とを有している。このような構成においても、紙葉類収納繰出部２０は、送り込まれた紙葉類とともにテープ２１をドラム２２に巻き付けることで紙葉類を収納する収納動作と、テープ２１を巻き戻すことで紙葉類を繰り出す繰出動作とを行うように構成されている。
【０１２７】
なお、以上の説明では、１つのテープ区間に１０枚の紙葉類が収納される場合を例に挙げたが、１つのテープ区間に収納される紙葉類の枚数は、１０枚に限らず、１０枚よりも少なくてもよいし、１０枚よりも多くてもよい。
【０１２８】
また、以上の説明では、１つのテープ区間の長さが１０枚の紙葉類を収納することができる長さ（すなわち紙葉類の長さを基準とする長さ）となっている場合を例に挙げたが、１つのテープ区間の長さは、紙葉類の長さを基準とする長さに限らず、別の長さ単位を基準とする長さとなっていてもよい。
【０１２９】
また、以上の実施形態および変形例を適宜組み合わせて実施してもよい。以上の実施形態および変形例は、本質的に好ましい例示であって、この開示、その適用物、あるいはその用途の範囲を制限することを意図するものではない。
【産業上の利用可能性】
【０１３０】
以上説明したように、ここに開示する技術は、紙葉類収納繰出装置として有用である。
【符号の説明】
【０１３１】
１０          紙葉類収納繰出装置
２０          紙葉類収納繰出部
２１          テープ
２２          ドラム
２３          テープリール
２４          搬送機構
２５          ガイド機構
３０          制御部
３１          通過センサ
３２          透光度センサ
８１          分離ガイド
８２          規制ガイド
１００        紙葉類処理装置
２００        処理部
２０１        処理部側筐体
２０２        入金部
２０３        出金部
２０４        一時保留部
２０５        識別部
２０６        処理部側搬送部（搬送部）
３００        金庫部
３０１        防護筐体
３０２        収納部
３０３        金庫部側搬送部（搬送部）
ＳＳ          紙葉類巻き付け区間
【図１】
2018049374.tif 000003
【図２】
2018049374.tif 000004
【図３】
2018049374.tif 000005
【図４】
2018049374.tif 000006
【図５】
2018049374.tif 000007
【図６】
2018049374.tif 000008
【図７】
2018049374.tif 000009
【図８】
2018049374.tif 000010
【図９】
2018049374.tif 000011
【図１０】
2018049374.tif 000012
【図１１】
2018049374.tif 000013
【図１２】
2018049374.tif 000014
【図１３】
2018049374.tif 000015
【図１４】
2018049374.tif 000016